(57)【要約】【課題】  本発明は、木造住宅における床において、暖冷気の防止、結露の防止に優れ、耐候性、断熱性等が抜群である断熱構造を持つと共に、ほぞ継ぎ工法による嵌合わせにより組立てが容易なユニット式からなるユニット床材を提供するものである。【解決手段】  本発明のユニット床材は、集成材からなる単板ユニットを多数積層して形成した長方形の床材からなり、第１単板６と第２単板７とにより短冊形のほぞ板５を等間隔で前方に所定幅突出するように挟み空洞部を形成して積層接着し、さらに前記第２単板７の上に第３単板８を所定幅後方側にずらして重ね合わせて接着してユニット床材を構成し、該ユニット床材の長手方向の前面には階段状に凸形状の凸嵌合部と、長手方向の後面には前記凸嵌合部が嵌合する階段状に凹形状の凹嵌合部とを形成したものである。【選択図】  図３
2006009402.tif 000002
【特許請求の範囲】
【請求項１】
集成材からなる単板ユニットを多数積層して形成した長方形の床材からなり、第１単板と第２単板とにより短冊形のほぞ板を等間隔で前方に所定幅突出するように挟み空洞部を形成して積層接着し、さらに前記第２単板の上に第３単板を所定幅後方側にずらして重ね合わせて接着してユニット床材を構成し、該ユニット床材の長手方向の前面には階段状に凸形状の凸嵌合部と、長手方向の後面には前記凸嵌合部が嵌合する階段状に凹形状の凹嵌合部とを形成したことを特徴とするユニット床材。
【請求項２】
前記等間隔のほぞ板の内、２枚を第１単板の両端に短辺に沿って接着すると共に、残りのほぞ板は、ほぼ等間隔となるように接着することにより、前記第１単板と第２単板とに挟まれた間には、ほぞ板の厚さの空洞部が多数並列に形成されることを特徴とする請求項１記載のユニット床材。
【請求項３】
前記ユニット床材の裏面には、輻射伝導材料のアルミ箔を全体に貼着したことを特徴とする請求項１又は２記載のユニット床材。
【発明の詳細な説明】
【技術分野】
【０００１】
本発明は、木造住宅の床に多数並列に敷き詰めて板の間（フローリング床）を形成するユニット床材に関する。
【背景技術】
【０００２】
近年、木造住宅においてもリフォームにより畳を使用した和室に代えて洋風に木板を使用したフローリング床に変更する例が多くなってきている。
多雨多湿の日本の風土に適した暖冷気の防止には、木造建築が最適であるが、これらを考慮した床材が今まで開発されていなかった。
なお、バルコニーやベランダ、テラス等の床面に、床材同士を容易に連結すると共に容易に大きさを変更でき、また床面上に確実に敷設することができるユニット式床材が開発されている（特許文献１を参照）。
【０００３】
【特許文献１】特開２００２−１２９７３６号公報
【発明の開示】
【発明が解決しようとする課題】
【０００４】
本発明は、木造住宅における床において、暖冷気の防止、結露の防止に優れ、耐候性、断熱性等が抜群である断熱構造を持つと共に、ほぞ継ぎ工法による嵌合わせにより組立てが容易なユニット式からなるユニット床材を提供するものである。
【課題を解決するための手段】
【０００５】
本発明のユニット床材は、集成材からなる単板ユニットを多数積層して形成した長方形の床材からなり、第１単板と第２単板とにより短冊形のほぞ板を等間隔で前方に所定幅突出するように挟み空洞部を形成して積層接着し、さらに前記第２単板の上に第３単板を所定幅後方側にずらして重ね合わせて接着してユニット床材を構成し、該ユニット床材の長手方向の前面には階段状に凸形状の凸嵌合部と、長手方向の後面には前記凸嵌合部が嵌合する階段状に凹形状の凹嵌合部とを形成したものである。
また、前記等間隔のほぞ板の内、２枚を第１単板の両端に短辺に沿って接着すると共に、残りのほぞ板は、ほぼ等間隔となるように接着することにより、前記第１単板と第２単板とに挟まれた間には、ほぞ板の厚さの空洞部が多数並列に形成されるものである。
さらに、前記ユニット床材の裏面には、輻射伝導材料のアルミ箔を全体に貼着したものである。
【発明の効果】
【０００６】
本発明のユニット床材によれば、部材の構成には同じサイズ単板の積層構造により生産コストの削減と製品の均一により施工が簡便であると共に、凹凸による嵌め合わせによる施工簡易、釘ネジ止めによる取付けによって堅固である。
本発明のユニット床材は、ほぞ板により空洞部を形成するので、空洞により暖冷気の遮断と乾燥の保持により部材の劣化を防止し、振動等を緩和する効果がある。
本発明の前記ユニット床材の裏面には、輻射伝導材料のアルミ箔を全体に貼着するので、縁の下より発生する暖冷気の輻射伝導をアルミ箔により反射効果によって遮断するし、結露による部材への浸潤を完全にカットし、部材の乾燥等を維持保護及び腐食を防止する。
【発明を実施するための最良の形態】
【０００７】
本発明のユニット床材は、集成材からなる単板ユニットを多数積層して形成した長方形の床材からなり、ほぞ継ぎとなるように長手方向の一方の前面には階段状に凸形状の凸嵌合部を形成し、他方の後面には前記凸嵌合部が嵌合する階段状に凹形状の凹嵌合部を形成する。
前記ユニット床材を形成するには、前記第１単板の短辺の長さとほぞ板の長辺の長さが同一であるから、前記ほぞ板を手前側に所定幅ずらして重ねて前記ほぞ板を第１単板から手前側に所定幅突出するように接着する。
前記ほぞ板の残りは、ほぼ等間隔となるように、同様に第１単板から手前側に所定幅突出するように接着する。
さらに、ほぞ板の上に第２単板を前記第１単板と重なり合う形に、前記ほぞ板を第２単板から手前側に所定幅突出するように接着する。
前記第１単板と第２単板とに挟まれた間には、ほぞ板の厚さの空洞部が多数並列に形成される。
さらに、前記第２単板の上に第３単板を所定幅後方側にずらして重ね合わせて接着して前記ユニット床材を構成し、前記ユニット床材の長手方向の一方の前面には階段状に凸形状の凸嵌合部を形成し、他方の後面には前記凸嵌合部が嵌合する階段状に凹形状の凹嵌合部を形成する。
前記ユニット床材の裏面には、輻射伝導材料のアルミ箔を全体に貼着する。
【実施例】
【０００８】
以下、本発明のユニット床材の一実施例を図面に基づいて説明する。
本発明は、図１に示すように、多数のユニット床材１をほぞ継ぎにより並列に並べて前記ユニット床材１を組み立ててフローリング床を形成する。
前記組み立てたフローリング床の内層には空洞部２が形成されており、前記空洞部２は前記ユニット床材１の横断方向に複数、実施例では４個並列に設けてなる。
前記空洞部２は、隣接するユニット床材１同士を連結してそれぞれの空洞部２が一体に連通するように形成される。
【０００９】
図２に示すように、前記ユニット床材１は、集成材からなる単板ユニットを多数積層して形成した長方形の床材からなり、長手方向の一方の前面には階段状に凸形状の凸嵌合部３を形成し、他方の後面には前記凸嵌合部３が嵌合する階段状に凹形状の凹嵌合部４を形成する。
さらに、前述したように、前記ユニット床材１の横断方向に複数、実施例では４個並列の空洞部２を設けてあり、該空洞部２は単板ユニットの短手方向と並行にほぞ板５を等間隔で単板ユニットと単板ユニットとの間に挟み込むことにより、単板ユニットの厚さの空洞部２を形成することができる。
したがって、前記空洞部２の高さは、単板ユニットの厚さと同一となる。
【００１０】
次に、図３の分解斜視図に基づいて、前記ユニット床材１についてさらに詳細に述べる。
前記集成材からなる単板ユニットは、縦幅１８１８ｍｍ×横幅３０３ｍｍ×厚さ８ｍｍの細長形部材から構成される。
なお、横幅は３０３ｍｍ限らず、適宜の幅を選択することができるが、縦幅は１８１８ｍｍ固定とする。
【００１１】
図３に示すように、前記ユニット床材１を形成するには、最初に集成材からなる第１単板６と第２単板７とにより、縦幅３０３ｍｍ×横幅１００ｍｍ×厚さ８ｍｍの短冊形の集成材からなるほぞ板５を挟むように積層する。
５枚の前記ほぞ板５の内、２枚を第１単板６の短辺に沿って両端に配置する。
すなわち、前記第１単板６の短辺の長さとほぞ板５の長辺の長さが同一であるから、前記ほぞ板５を手前側に所定幅、例えば１０ｍｍ手前側にずらして重ねて前記ほぞ板５を第１単板６から手前側に所定幅、例えば１０ｍｍ突出するように接着する。
前記ほぞ板５の残りの３枚は、ほぼ等間隔となるように、例えば４５４ｍｍ間隔で配置し、０ｍｍ（右端）、４５４ｍｍ、９０９ｍｍ（中央）、１３６３ｍｍ、１８１８ｍｍ（左端）位置となるように、第１単板６から手前側に所定幅、例えば１０ｍｍ突出するように接着する。
このようにして、前記第１単板６の上にほぞ板５を等間隔で並べたら、ほぞ板５の上に第２単板７を前記第１単板６と重なり合う形に、すなわち前記と同様に前記ほぞ板５を第２単板７から手前側に所定幅、例えば１０ｍｍ突出するように接着する。
そうすることによって、前記第１単板６と第２単板７とに挟まれた間には、ほぞ板５の厚さの空洞部２が４個並列に形成される。
【００１２】
さらに、前記第２単板７の上に第３単板８を所定幅、例えば２０ｍｍ後方側にずらして重ね合わせて接着して図２に示す前記ユニット床材１を構成し、前記ユニット床材１の長手方向の一方の前面には階段状に凸形状の凸嵌合部３を形成し、他方の後面には前記凸嵌合部３が嵌合する階段状に凹形状の凹嵌合部４を形成する。
このようにして形成されたユニット床材１の裏面には、輻射伝導材料のアルミ箔９を貼着する。
すなわち図３に示すように、前記第１単板６の裏面に輻射伝導材料のアルミ箔９を全体に貼着する。
また、前記第１単板６と第２単板７との間に形成された前記ユニット床材１の空洞部２の両端には、防虫用のメッシュ（図示せず）を張設し、害虫の侵入を防止する。
【００１３】
このようにして形成されたユニット床材１を多数使用してフローリング床を形成するには、図１に示すように、土台に渡された横架材（図示せず）に前記ユニット床材１を載せ、すなわち前記ユニット床材１のほぞ板５部分を前記横架材（図示せず）に位置するように配置する。
そして、図２に示す凸嵌合部３の第２単板７（図３に示す上から２枚目）の上方から前記横架材（図示せず）に向って釘を打ち、前記ユニット床材１を前記横架材（図示せず）に固定する。
次に、新たなユニット床材１を前記横架材（図示せず）に固定されたユニット床材１に凹凸嵌合させて組み合わせ、同様にして凸嵌合部３の第２単板７の上から前記横架材（図示せず）に向って釘を打ち、前記ユニット床材１を前記横架材（図示せず）に固定する。
この動作を繰り返すことにより、ユニット床材１が移動することがない強固に固定されたフローリング床が形成される。
また、図示していないが、空洞部２の空間を利用して前記空洞部２に暖房用の床暖パイプを配管して、冬季の床暖房を行うこともできる。
【図面の簡単な説明】
【００１４】
【図１】本発明のユニット床材を組立てしたフローリング床の斜視図である。
【図２】本発明のユニット床材の斜視図である。
【図３】本発明のユニット床材を分解して示す分解斜視図である。
【符号の説明】
【００１５】
１  ユニット床材
２  空洞部
３  凸嵌合部
４  凹嵌合部
５  ほぞ板
６  第１単板
７  第２単板
８  第３単板
９  アルミ箔
【図１】
2006009402.tif 000003
【図２】
2006009402.tif 000004
【図３】
2006009402.tif 000005